(57)【要約】【課題】放射性核種セシウム137のような、土壌粒子への吸着力が著しく強い汚染物質が大気中から降下することによって汚染された土壌表層部１１を効率良く取り除いて、土壌１の汚染レベルを有効に低減する方法を提供する。【解決手段】放射性核種セシウム137又はセシウム134のような汚染物質により表層部が汚染された土壌１に匍匐性植物などの植物２を栽培する。生育後、この植物２を、この植物２の根２２が高密度で絡みついた土壌表層部１１と共に土壌１から根切りして剥ぎ取る。【選択図】図７
2012223698.tif 000002
【特許請求の範囲】
【請求項１】
汚染物質により汚染された土壌の表層部を固定し、固定された表層部の土壌をその下層の土壌から剥ぎ取ることを特徴とする土壌表層部の汚染除去方法。
【請求項２】
土壌の表層部の固定が、土壌に植物を栽培してこの植物の根で土壌粒子を捕捉することにより行われ、固定された表層部の土壌の剥ぎ取りが、根が絡みついた土壌粒子と共に前記植物を剥ぎ取ることにより行われることを特徴とする請求項１に記載の土壌表層部の汚染除去方法。
【請求項３】
栽培する植物が地被植物であることを特徴とする請求項２に記載の土壌表層部の汚染除去方法。
【請求項４】
汚染物質が放射性核種セシウム137又はセシウム134であることを特徴とする請求項１〜３のいずれかに記載の土壌表層部の汚染除去方法。
【請求項５】
地被植物が芝草であることを特徴とする請求項３に記載の土壌表層部の汚染除去方法。
【請求項６】
芝草を植栽した土壌に、パクロブトラゾール、フルルプリミドール、ビスピリバックナトリウム塩、プロヘキサジオンカルシウム塩、トリネキサパックエチル、シイタケ菌糸体抽出物から１以上選択される成長調整剤を添加することを特徴とする請求項５に記載の土壌表層部の汚染除去方法。
【請求項７】
植物の植付が、種子に養生材、粘着剤、肥料、水を配合して、これを種子吹付け機で土壌表層部に散布することにより行われることを特徴とする請求項２〜６のいずれかに記載の土壌表層部の汚染除去方法。
【請求項８】
散布する種子に、活性炭、ゼオライト、シリカゲルから１以上選択される物質、あるいはスメクタイト、モンモリロナイト、バイデライト、ノントロナイト、バーミキュライト、雲母、イライトから１以上選択される2：1型鉱物が添加されることを特徴とする請求項７に記載の土壌表層部の汚染除去方法。
【請求項９】
土壌の表層部の固定が、高分子化合物の散布で土壌粒子を接着することにより行われることを特徴とする請求項１に記載の土壌表層部の汚染除去方法。
【請求項１０】
土壌の表層部の固定が、転圧により土壌粒子を圧着することで行われることを特徴とする請求項１に記載の土壌表層部の汚染除去方法。
【発明の詳細な説明】
【技術分野】
【０００１】
本発明は、大気中からの降水（降雨、降雪）や降塵などによる汚染物質の降下によって汚染された土壌の表層部を除去することによって、汚染を低減するための方法に関する。
【背景技術】
【０００２】
土壌表層部の汚染では、汚染物質への直接接触や、飛散や揮発した汚染物質の経口摂取、汚染物質が放射性核種の場合は放射線の影響などの人体への直接被害を引き起こしやすい。また、汚染された土壌表層部で栽培した農作物に汚染物質が吸収され、農作物の汚染が発生する。さらに、風による飛散や雨による侵食を容易に受けるので、汚染物質が周辺に拡大する恐れがある。このような土壌表層部の汚染の対策方法としては、従来から、汚染された土壌の上をアスファルトや非汚染土壌などで被覆する方法や、汚染された土壌を掘削し除去する方法、原位置で汚染物質の洗浄や無害化する方法等がある。原位置での浄化方法の一つとして、植物を利用して汚染物質を除去するファイトレメディエーション(Phytoremediation)などによる技術が知られている（ファイトレメディエーションによるものについては、例えば下記の特許文献１，２参照）。
【０００３】
しかしながら、対策後も同じ用途で土地を利用する場合、例えば農用地の場合は、農用地として利用ができなくなるような変化を伴う対策は行えない。適用可能な対策方法においても、汚染土壌を非汚染土壌で被覆する客土法では、客土するための大量の非汚染土壌を確保することが難しく、広範囲の汚染には対応することが困難であり、土壌洗浄法では、特に放射性核種セシウム137（137Cs）又はセシウム134（134Cs）のように、土壌に対する吸着力が著しく強い元素の場合、効率よく洗浄することができない（土壌洗浄法については、例えば下記の特許文献３，４参照）。また、ファイトレメディエーションによる方法は、吸収できる元素の種類が限られており、セシウム137又はセシウム134のような吸着力が著しく強い汚染物質は、容易に植物体に吸収させることができない。
【０００４】
また、原子力発電所などの核施設から大気中へ排出され又は漏洩した放射性核種セシウム137などの汚染物質が、降水（降雨、降雪）や降塵により地表へ降下することによって汚染された土壌の場合、前記セシウム137又はセシウム134は土壌表層部で土壌粒子に強固に吸着するために、土壌中での移動性が低く、汚染領域は深さ数cm程度の表層部のみに限定される（非特許文献１参照）。このため、汚染された土壌表層部のみを撤去すれば汚染レベルを有効に低減することができる。一般的な汚染土壌の掘削除去では、油圧ショベルなどの重機を使った掘削が行われている。しかし、油圧ショベルやブルドーザーなどの建設重機では深さ数cm程度の表層部のみを除去することは困難である。このような建設重機によって表層部を10cm以上除去した場合は、作土層が薄くなったり、農地全体が低くなるため排水性に問題を生じたり、農地に与える影響が大きい。また、作業中に発生する粉塵対策も必要となるといった問題がある。
【先行技術文献】
【特許文献】
【０００５】
【特許文献１】特開２００７−２０９８９４号公報
【特許文献２】特開２００４−２９０８２０号公報
【特許文献３】特許第４１１６９７５号公報
【特許文献４】特許第４１１６９８８号公報
【非特許文献】
【０００６】
【非特許文献１】Journal of Environmental Radioactivity 46(1999)45-66
【発明の概要】
【発明が解決しようとする課題】
【０００７】
本発明は、以上のような点に鑑みてなされたものであって、その技術的課題とするところは、吸着力が著しく強い汚染物質が大気中から降下することによって汚染された土壌表層部を、効率良く取り除いて、汚染レベルを有効に低減することの可能な方法を提供することにある。
【課題を解決するための手段】
【０００８】
上述した技術的課題を有効に解決するための手段として、請求項１の発明に係る土壌表層部の汚染除去方法は、汚染物質により汚染された土壌の表層部を固定し、固定された表層部の土壌をその下層の土壌から剥ぎ取ることを特徴とするものである。
【０００９】
請求項２の発明に係る土壌表層部の汚染除去方法は、請求項１に記載の方法において、土壌の表層部の固定が、土壌に植物を栽培してこの植物の根で土壌粒子を捕捉することにより行われ、固定された表層部の土壌の剥ぎ取りが、根が絡みついた土壌粒子と共に前記植物を剥ぎ取ることにより行われることを特徴とするものである。
【００１０】
請求項３の発明に係る土壌表層部の汚染除去方法は、請求項２に記載の方法において、栽培する植物が地被植物であることを特徴とするものである。
【００１１】
請求項４の発明に係る土壌表層部の汚染除去方法は、請求項１〜３のいずれかに記載の方法において、汚染物質が放射性核種セシウム137又はセシウム134であることを特徴とするものである。
【００１２】
請求項５の発明に係る土壌表層部の汚染除去方法は、請求項３に記載の方法において、地被植物が芝草であることを特徴とするものである。
【００１３】
請求項６の発明に係る土壌表層部の汚染除去方法は、請求項５に記載の方法において、芝草を植栽した土壌に、パクロブトラゾール、フルルプリミドール、ビスピリバックナトリウム塩、プロヘキサジオンカルシウム塩、トリネキサパックエチル、シイタケ菌糸体抽出物から１以上選択される成長調整剤を添加することを特徴とするものである。
【００１４】
請求項７の発明に係る土壌表層部の汚染除去方法は、請求項２〜６のいずれかに記載の方法において、植物の植付が、種子に養生材、粘着剤、肥料、水を配合して、これを種子吹付け機で土壌表層部に散布することにより行われることを特徴とするものである。
【００１５】
請求項８の発明に係る土壌表層部の汚染除去方法は、請求項７に記載の方法において、散布する種子に、活性炭、ゼオライト、シリカゲルから１以上選択される物質、あるいはスメクタイト、モンモリロナイト、バイデライト、ノントロナイト、バーミキュライト、雲母、イライトから１以上選択される2：1型鉱物が添加されることを特徴とするものである。これらの添加物は、セシウム等の汚染物質に対する吸着作用を有するため、地中深くへ汚染物質が拡散するのを抑制することができる。
【００１６】
請求項９の発明に係る土壌表層部の汚染除去方法は、請求項１に記載の方法において、土壌の表層部の固定が、高分子化合物の散布で土壌粒子を接着することにより行われることを特徴とするものである。
【００１７】
請求項１０の発明に係る土壌表層部の汚染除去方法は、請求項１に記載の方法において、土壌の表層部の固定が、転圧により土壌粒子を圧着することで行われることを特徴とするものである。
【発明の効果】
【００１８】
本発明に係る土壌表層部の汚染除去方法によれば、汚染物質により汚染された土壌の表層部を固定し、固定された表層部の土壌のみを剥ぎ取るものであるため、汚染された土壌表層部のみを効率良く除去することができる。したがって、放射性核種セシウム137又はセシウム134のような、吸着力が著しく強い汚染物質が大気中から降下することによって表層部のみが汚染された土壌の汚染レベルを有効に低減することができる。
【００１９】
とくに、汚染された土壌の表層部を固定する手段として、植物を栽培し、植物の根で土壌粒子を捕捉することにより、この植物の根が絡みついた土壌粒子と共に植物を剥ぎ取ることで、汚染された土壌表層部のみを効率良く除去することができる。また、粘土や腐植質の少ない砂質土壌では、土壌表層部への汚染物質の吸着が弱く地下浸透が懸念される場合も、植物を栽培することで植物が根から汚染物質を吸収するため、地中深くへ汚染物質が拡散するのを抑制することができる。
【００２０】
また、栽培する植物が匍匐性植物などの地被植物である場合は、地上部が地面を這うように水平方向へ伸びる多数の匍匐茎や地表近くを延びる多数の地下茎によって、平面的に広がると共に密生して地表を覆うので、汚染された土壌粒子が風などにより飛散するのを有効に防止すると共に、降水や降塵などにより降下する汚染物質を地上部でトラップするので、土壌汚染の進行も有効に防止することができる。
【００２１】
とくに、匍匐性植物が芝草である場合は、汚染物質により表層部が汚染された土壌に栽培した植物を、この植物の根が高密度で絡みついた土壌表層部と共に剥ぎ取る作業を、芝生収獲機を用いることによって容易に行うことができる。
【図面の簡単な説明】
【００２２】
【図１】本発明に係る、土壌表層部の汚染除去方法の好ましい実施の形態において、表層部が汚染された土壌を示す説明図である。
【図２】本発明に係る、土壌表層部の汚染除去方法の好ましい実施の形態において、表層部が汚染された土壌に芝草を植栽した状態を示す説明図である。
【図３】本発明に係る、土壌表層部の汚染除去方法の好ましい実施の形態において、植栽した芝草が匍匐茎を伸ばした状態を示す説明図である。
【図４】本発明に係る、土壌表層部の汚染除去方法の好ましい実施の形態において、匍匐茎から孫株が発生した状態を示す説明図である。
【図５】本発明に係る、土壌表層部の汚染除去方法の好ましい実施の形態において、芝草が匍匐茎を介して密生した状態を示す説明図である。
【図６】本発明に係る、土壌表層部の汚染除去方法の好ましい実施の形態において、芝生収獲機によって、芝草を土壌表層部と共に剥ぎ取る工程を示す説明図である。
【図７】本発明に係る、土壌表層部の汚染除去方法の好ましい実施の形態において、芝草が土壌からその表層部と共に分離される過程を示す説明図である。
【図８】本発明に係る、土壌表層部の汚染除去方法の好ましい実施の形態において、表層部が除去された土壌を示す説明図である。
【発明を実施するための形態】
【００２３】
以下、本発明の土壌表層部の汚染除去方法の好ましい実施の形態について、図面を参照しながら説明する。
【００２４】
まず図１は、降水（降雨、降雪）や降塵などによる汚染物質の降下によって、表層部１１が汚染された土壌１を示すものである。原子力発電所などの核施設から排出又は漏洩した放射性核種による土壌汚染、とくに放射線量の半減期が30年程度と長いセシウム137又は半減期が2年程度であるセシウム134による農用地などの土壌の汚染は、収穫される農産物に深刻な放射能汚染被害を引き起こすため、このような汚染土壌は早期に除去して汚染レベルを低減しなければならない。
【００２５】
土壌１の汚染が、原子力発電所などの核施設から大気中へ排出され又は漏洩した放射性核種セシウム137又はセシウム134が、降水（降雨、降雪）や降塵により地表へ降下することによって引き起こされたものである場合、このセシウム137又はセシウム134は土壌への吸着力がきわめて高いために、洗浄などの方法では容易に除去することができない反面、土壌１への吸着が数cm程度の深さの範囲のみに限られるといった特徴がある。したがって、参照符号１２で示される下層部は汚染レベルが無視できる程度に低い非汚染土壌である。
【００２６】
本発明では、まず図２に示すように、汚染低減対象の土壌１に地被植物、典型的には匍匐性植物である芝草２を栽培する。地被植物は、平坦地や法面などの地表面を密に被覆して繁茂する植物である。おおむね草丈60cm以下で群集する植物で、芝類、ササ類、ツル植物類、低木類、セダム類、シダ類、コケ類などが利用可能である。なかでも匍匐性植物は、垂直方向にはあまり成長せずに、地面に沿って水平方向へ匍匐茎を伸ばして不定根で定着し、栄養繁殖によってマット状に成長するため、好ましい。匍匐茎を持つ植物はいろいろな科で見られ、バラ科イチゴやマメ科シロツメクサ、カタバミ科カタバミ、トクサ科スギナなどが知られている。
【００２７】
本発明で用いることのできる匍匐性植物としては、上述のシロツメクサ、カタバミ、スギナ、ハコベやグンバイヒルガオのほか、多数の匍匐茎を伸ばして平面的に密生し、成長が早く地面を被覆するシバザクラやマツバギクなども好適であり、サツマイモ、キクなども使用可能である。また、イネ科の芝草２は生育が早く、地上部２１や根２２の密度も高く、根２２が地中に深く張り、しかも栽培技術が確立されているので、特に好適である。
【００２８】
植栽する芝草２の品種は、気象条件、地理的条件、土壌条件、汚染状況に応じて、適したものを選択する。例えば温暖地では、暖地型芝草のスズメガヤ亜科シバ属（通称ノシバ、オニシバ、コウライシバなどの日本芝類）や、スズメガヤ亜科ギョウギシバ属（通称バミューダグラス類）が好ましい。このうち、ノシバやコウライシバは耐寒性も高く、コウライシバは高密度で生育する。
【００２９】
芝草２のうち、寒冷地でも年間を通して生長させることのできるものとしては、初期の生育がやや遅いが、匍匐茎が発達するウシノケグサ亜科イチゴツナギ属（通称ブルーグラス類）やウシノケグサ亜科コヌカグサ属（通称ベントグラス類）、ウシノケグサ亜科ウシノケグサ属（通称フェスク類）などが好ましい。このうち、ブルーグラス類は越冬性に優れるだけでなく、耐暑性も強い品種がある。
【００３０】
芝草２のうち、短期間で土壌１の表面を被覆することのできるものとしては、生育の早いウシノケグサ亜科ドクムギ属（通称ペレニアルライグラス類・イタリアンライグラス類）が好ましい。このうち、ペレニアルライグラス類は密度が高く、しかも耐暑性及び耐寒性に優れるものが多い。またイタリアンライグラス類は、発芽や定着が早く、低温伸長性も優れている。
【００３１】
植栽の方法としては、芝草２の種類によって、種子の吹き付け散布等による播種、ポット苗植え、切り苗による張芝などの方法が選択される。例えばノシバやコウライシバなどは張芝が適しており、ブルーグラス類やベントグラス類、フェスク類、ペレニアルライグラス類、イタリアンライグラス類は播種による方法が適しており、バミューダグラス類は品種によって播種、ポット苗植え、張芝のいずれも採用可能である。
【００３２】
種子の吹き付け散布の場合は、種子5〜15ｇ/m2に、養生材（ファイバー等）、粘着剤（アクリル酸系樹脂や酢酸ビニル系樹脂等）、肥料、吸着剤、水を混合して、種子吹き付け機（ハイドロシーダーともいう）で、均一に散布する。吹き付け播種の場合は晩春から初夏に行うのが良い。また、吹付け材には、セシウム等の汚染物質に対する吸着作用を有する活性炭、ゼオライト、シリカゲル、あるいは2：1型鉱物を添加することも好ましい。2：1型鉱物としては、スメクタイト、モンモリロナイト、バイデライト、ノントロナイト、バーミキュライト、雲母、イライトが好ましい。
【００３３】
植栽された芝草２は、図３に示すように、成長の過程で土壌１中に根２２を伸長させ、無数の根毛を発達させる。また、地上部２１でも、根元から地面を這うように水平方向へ多数の匍匐茎２３を伸ばし、その先端に子株２ａを発生する。図４は子株２ａも成長して匍匐茎２３を伸ばし、その先端に孫株２ｂを発生させた状態を示している。そしてこれら匍匐茎２３が網の目のように絡まりながら平面的に伸び、地上部２１の葉などの密度も高くなって行く。
【００３４】
生育特性に優れた芝草２は、その地上部２１が短期間で密生して土壌１の表面を覆うので、汚染された土壌粒子が風などにより表層部１１から飛散するのを有効に防止する作用を奏する。種子の散布の際の吹付け材に添加されたファイバーや粘着剤も、風などによる土壌粒子の飛散を防止するのに役立つ。また、降水（降雨、降雪）や降塵などにより降下する汚染物質を、密生した地上部２１でトラップするので、降下する汚染物質による土壌汚染の進行を防止する作用も奏する。
【００３５】
なお、土壌表面からの発塵が裸地と芝草の植栽地とでどのように異なるかについて調査したところ、発塵量は土壌の含水量によって大きく左右されるが、裸地では気象条件によって土壌の乾燥度が高まりやすく、特に太平洋側の地域における冬季乾燥期は裸地からの発塵量は極めて多く、それに対して同一場所の同一気象条件下にある芝草の植栽地では土壌表面の含水量が安定していて、発塵量は裸地に比較して遥かに僅少であることがわかった。したがって、汚染された土壌粒子の飛散による汚染の拡大や二次的汚染が有効に防止される。
【００３６】
施肥や農薬の散布、刈り込みなどを行いながら、一定期間（植え付けの時期や地域にもよるが、通常は2〜3カ月程度）の生育期間を経て、図５に示すように、芝草２が所要の密度に成長した状態では、土壌１のうちの汚染された表層部１１中に、根２２が高密度で分布している。すなわち、根２２の垂直方向分布は表層部１１付近に限定されるが、根２２は分岐を繰り返して根毛を発生させ、このような無数の根毛が土壌粒子間にマトリクス状に延びて複雑に絡み合った状態となっている。なお、図５は地上部２１の刈り込みを行った状態を示している。
【００３７】
このようにして芝草２が十分に生育したら、図６に示すように、公知の農業用の芝生収獲機（ソードカッターともいう）によって、この芝草２を、土壌表層部１１と共に根切りして剥ぎ取って回収する。芝生収獲機は、良く知られているように、芝生の植栽地から芝生を切り剥がして土付きのシート状の芝生を収獲するもので、トラクタにより牽引されるものや自走式のものなどがあり、その移動方向を向いた略水平な根切りカッター１００及びその両側の不図示の略垂直なサイドカッターを備えている。
【００３８】
すなわち芝草２の剥ぎ取り回収作業においては、芝草２が植栽された土壌１中に芝生収獲機の根切りカッター１００の先端部を数cm（2〜3cm程度）の深さで挿入した状態で、この芝生収獲機を低速で移動させることによって、図６及び図７に示すように、芝草２をその根２２が絡みついた、厚さが2〜3cm程度の土と共に前記土壌１から根切りして一定の幅の帯状に剥ぎ取って行く。上述のように、芝草２は、地上部２１では匍匐茎２３が網の目のように絡まってシート状に展開しており、芝草２の根２２は、土壌粒子間にマトリクス状に延びて複雑に絡み合っているため、セシウム137などで汚染された土壌表層部１１は、この芝草２の地上部２１及び根２２と共に、土壌１から分離・回収される。図８は、このようにして表層部１１が除去された後の土壌１を示すものである。
【００３９】
芝生収獲機によって土壌１から回収された土付きの芝草２は、ロール状に巻かれるか、あるいは適当な面積のシート状にカットされ、埋め立て処分地などへ運搬される。上述のように、芝草２と共に土壌１から剥ぎ取られる表層の土壌粒子は、高密度の根２２によって固定されているので、芝生収獲機による剥ぎ取り作業や運搬の際の飛散による二次汚染が有効に防止される。
【００４０】
芝草２の植栽後の管理においては、パクロブトラゾール、フルルプリミドール、ビスピリバックナトリウム塩、プロヘキサジオンカルシウム塩、トリネキサパックエチル、シイタケ菌糸体抽出物から選択される成長調整剤を土壌１に添加すれば、地上部２１の成長が抑制されると共に根２２の発達が促され、土壌粒子が根２２によって強固に固定されるので、土壌表層部１１を効率良く剥ぎ取ることができる。
【００４１】
また、種子の吹き付けによる植付の際などに、合成樹脂エマルジョンや天然高分子樹脂等を散布することによって、予め表層部１１の土壌粒子を接着しておけば、上述した剥ぎ取り作業の際に、高密度の根２２に捕捉された土壌粒子の落下や飛散をより確実に防止して、土壌表層部１１を効率良く剥ぎ取ることができる。吹付け材に添加された粘着剤も、剥ぎ取り作業の際の土壌粒子の落下や飛散を防止するのに役立つ。
【００４２】
なお、上述の作業が完了した後も、土壌１の表面に汚染された土壌粒子が残留しているような場合は、上述したような芝草２の植栽及びその生育後の剥ぎ取り作業を再度行えば良い。
【００４３】
上述の実施の形態によれば、通常の重機による土木工事では除去することが難しい数cmの深さの表土のみを効率良く除去することができる。そして上述の剥ぎ取り工程で使用される芝生収獲機は、農業用のものであるため、この工程によって農地等の土壌に与える影響は小さく、本発明による土壌表層部の汚染除去方法の実施後は、農作業をすぐに再開することができる。しかも、小型の芝生収獲機を用いれば、果樹園などにおいて、果樹の根を傷付けることなく汚染表土を除去することができる。
【００４４】
なお、上述の実施の形態のように、土壌１の表層部１１を効率良く剥ぎ取るための植物としては匍匐性植物、特に芝草２が好ましいが、生育期間が短く、根を密集して土壌マットを形成し、取扱や入手が容易な種であれば、匍匐性植物以外の植物を用いても良く、例えばイネ科、ユリ科、ラン科などの単子葉類の植物も好ましい。また本発明は、セシウム137以外の汚染物質による土壌表層部の汚染の除去にも適用することができる。
【００４５】
また、合成樹脂エマルジョンや天然高分子樹脂等を散布することによって、土壌１の表層部１１の土壌粒子を接着して剥ぎ取る方法は、芝草２の植栽による方法とは独立して行うこともでき、表層部１１が粘土質の場合は、ローラーによる転圧で土壌粒子を圧着して剥ぎ取る方法を採用することも可能である。
【産業上の利用可能性】
【００４６】
本発明は、土壌のごく浅い範囲の表層部が、汚染物質、特に放射線量の半減期の長いセシウム137などで汚染されたために、利用ができなくなった水田、畑地、果樹園などの農用地を修復するための手段として、有効に利用することができる。
【符号の説明】
【００４７】
１  土壌
１１  表層部
２  芝草（植物,匍匐性植物）
２１  地上部
２２  根
２３  匍匐茎
１００  根切りカッター
【図１】
2012223698.tif 000003
【図２】
2012223698.tif 000004
【図３】
2012223698.tif 000005
【図４】
2012223698.tif 000006
【図５】
2012223698.tif 000007
【図６】
2012223698.tif 000008
【図７】
2012223698.tif 000009
【図８】
2012223698.tif 000010